(57)【特許請求の範囲】
【請求項１】
高周波交流電圧を発生するとともにリーケージトランスから成る出力トランスを介して高周波交流電圧を出力する電源部と、出力トランスの２次側に並列接続されるコンデンサと出力トランスの漏れインダクタンスからなる直列共振回路と、この直列共振回路に生じる共振電圧を整流する整流部とを備え、整流部の出力側に接続される負荷に給電する給電装置であって、電源部で発生する高周波交流電圧の周波数をｆ［Ｈｚ］、直列共振回路の等価インダクタンスをＬ［Ｈ］、直列共振回路のコンデンサの容量値をＣ［Ｆ］としたときにｆ＝１／｛２π×（Ｌ×Ｃ）1/2｝の関係が成立するように等価インダクタンスＬおよびコンデンサの容量値Ｃが設定されたことを特徴とする給電装置。
【請求項２】
負荷を２次電池としたことを特徴とする請求項１記載の給電装置。
【請求項３】
整流部と負荷の間に電流平滑用のチョークコイルを接続したことを特徴とする請求項１又は２記載の給電装置。
【請求項４】
整流部が半波整流回路からなることを特徴とする請求項１又は２又は３記載の給電装置。
【請求項５】
整流部はセンタタップ付のトランスを具備することを特徴とする請求項１又は２又は３記載の給電装置。
【請求項６】
出力トランスは、電源部に設けられる１次巻線と、負荷側に設けられる２次巻線とが分離自在に磁気結合されて成ることを特徴とする請求項１記載の給電装置。
【請求項７】
負荷を２次電池とし整流部を半波整流回路とするとともに、２次電池の電池電圧の最大値において電源部の交流出力の極性反転時期がコンデンサの両端電圧が極値となる時期に略一致するような第１の値と、電源部で発生する高周波交流電圧の周波数と直列共振回路の共振周波数が略一致するような第２の値との間にコンデンサの容量値を設定して成ることを特徴とする請求項１記載の給電装置。
【請求項８】
負荷と並列に平滑コンデンサを接続したことを特徴とする請求項７記載の給電装置。
【発明の詳細な説明】
【０００１】
【発明の属する技術分野】
本発明は、２次電池のような負荷に定電流を供給する給電装置に関するものである。
【０００２】
【従来の技術】
一般に負荷へ供給する電流を定電流化することは、負荷となる２次電池を充電する給電装置（充電装置）において必要とされる。ここで、２次電池は充電とともに電池電圧が上昇するものであり、また電圧の異なる組電池を負荷とする場合もある。図２５は従来の給電装置の一例を示しており、商用電源ＡＣを整流平滑回路６にて整流平滑して負荷（この場合は２次電池５）に電流（充電電流）Ｉｄを供給するものである。ここで、２次電池５のように負荷電圧が大きく変化する負荷への供給電流Ｉｄを定電流化するために、上記従来の給電装置においては負荷抵抗（２次電池５の内部抵抗）よりも十分に大きな抵抗Ｒを負荷（２次電池５）と直列に接続している。これ以外にもインダクタンスを利用したスイッチング周波数制御やＰＷＭ制御によるフィードバック制御によって供給電流の定電流化を図った給電装置も提供されている。
【０００３】
図２６に示す従来例では、整流平滑回路６の出力端間にインダクタンスＬｓ、スイッチング素子ＳＷ、整流用のダイオードＤ１、電流平滑用のチョークコイル４を介して２次電池５を接続するとともに、ダイオードＤ１とチョークコイル４の接続点と２次電池５の負極の間に環流用のダイオードＤ２を接続し、２次電池５に供給される電流Ｉｄを電流検出部２０にて検出し、その検出値が略一定となるように制御部２１にてスイッチング素子ＳＷのスイッチング周波数をフィードバック制御している。
【０００４】
【発明が解決しようとする課題】
上記前者の従来例では、負荷に直列接続された抵抗Ｒでの損失が大きくなって給電の効率が悪いという問題があり、また上記後者の従来例では、回路構成が複雑となって部品点数が大幅に増大するという問題があった。
【０００５】
本発明は上記問題点の解決を目的とするものであり、簡単な構成により各種の負荷に対して定電流を供給することが可能な給電装置を提供しようとするものである。
【０００６】
【課題を解決するための手段】
請求項１の発明は、上記目的を達成するために、高周波交流電圧を発生するとともにリーケージトランスから成る出力トランスを介して高周波交流電圧を出力する電源部と、出力トランスの２次側に並列接続されるコンデンサと出力トランスの漏れインダクタンスからなる直列共振回路と、この直列共振回路に生じる共振電圧を整流する整流部とを備え、整流部の出力側に接続される負荷に給電する給電装置であって、電源部で発生する高周波交流電圧の周波数をｆ［Ｈｚ］、直列共振回路の等価インダクタンスをＬ［Ｈ］、直列共振回路のコンデンサの容量値をＣ［Ｆ］としたときにｆ＝１／｛２π×（Ｌ×Ｃ）1/2｝の関係が成立するように等価インダクタンスＬおよびコンデンサの容量値Ｃが設定されたことを特徴とし、簡単な回路構成により電圧が変動する負荷や、電圧の異なる複数種の負荷に対して常に略一定の電流を負荷に供給することができる。
【０００７】
請求項２の発明は、請求項１の発明において、負荷を２次電池としたことを特徴とし、充電電流を定電流化することができ、本発明の給電装置を２次電池の充電装置に用いることができる。
【０００８】
請求項３の発明は、請求項１又は２の発明において、整流部と負荷の間に電流平滑用のチョークコイルを接続したことを特徴とし、請求項１又は２の発明と同様の作用を奏する。
【０００９】
請求項４の発明は、請求項１又は２又は３の発明において、整流部が半波整流回路からなることを特徴とし、請求項１又は２又は３の発明と同様の作用を奏する。
【００１０】
請求項５の発明は、請求項１又は２又は３の発明において、整流部はセンタタップ付のトランスを具備することを特徴とし、請求項１又は２又は３の発明と同様の作用を奏する。
【００１３】
請求項６の発明は、請求項１の発明において、出力トランスが、電源部に設けられる１次巻線と、負荷側に設けられる２次巻線とが分離自在に磁気結合されて成ることを特徴とし、請求項１の発明と同様の作用を奏する。
【００１４】
請求項７の発明は、請求項１の発明において、負荷を２次電池とし整流部を半波整流回路とするとともに、２次電池の電池電圧の最大値において電源部の交流出力の極性反転時期がコンデンサの両端電圧が極値となる時期に略一致するような第１の値と、電源部で発生する高周波交流電圧の周波数と直列共振回路の共振周波数が略一致するような第２の値との間にコンデンサの容量値を設定して成ることを特徴とし、請求項１の発明の作用に加えて、２次電池の電池電圧が最大値となるときの充電電流で定電流化することにより回路効率の向上が図れる。
【００１５】
請求項８の発明は、請求項７の発明において、負荷と並列に平滑コンデンサを接続したことを特徴とし、請求項７の発明と同様の作用を奏する。
【００１６】
【発明の実施の形態】
以下、本発明を実施形態により詳細に説明する。
【００１７】
（実施形態１）
図１に示すように本実施形態は、高周波交流電圧を発生する電源部１と、電源部１の出力側に接続されるインダクタンスＬｘ及びコンデンサＣｘの直列共振回路２と、この直列共振回路２に生じる共振電圧を整流する整流部３とを備え、整流部３の出力側に電流平滑用のチョークコイル４を介して接続された負荷である２次電池５に電流（充電電流）を供給するものである。
【００１８】
電源部１は、商用電源ＡＣと、商用電源ＡＣを整流平滑する整流平滑回路６と、整流平滑回路６の出力端間に接続されたインバータ回路とを備えている。このインバータ回路は、一対のスイッチ要素Ｓａ，Ｓｂの直列回路並びに一対のコンデンサＣａ，Ｃｂの直列回路が整流平滑回路６の出力端間に互いに並列に接続されるとともに、スイッチ要素Ｓａ，Ｓｂ及びコンデンサＣａ，Ｃｂの接続点間にトランスＴ１の１次巻線ｎ１が接続されて成り、図示しない制御回路によりスイッチ要素Ｓａ，Ｓｂが交互にオンオフされることでトランスＴ１の２次巻線ｎ２に矩形波の高周波交流電圧を発生するものである。トランスＴ１は、図２に示すように断面形状が略日字状のコア８の中心部８ａに１次巻線ｎ１が巻回されるとともに、１次巻線ｎ１の外側に２次巻線ｎ２が巻回されて構成され、１次巻線ｎ１に生じる磁束が２次巻線ｎ２に略全部交鎖するような密結合のトランスである。
【００１９】
トランスＴ１の２次巻線ｎ２にはインダクタンスＬｘ及びコンデンサＣｘの直列共振回路２が接続されており、インダクタンスＬｘとコンデンサＣｘの接続点にダイオードＤ１のアノードが接続されるとともに、ダイオードＤ１のカソードにダイオードＤ２のカソードが接続され、ダイオードＤ２のアノードがコンデンサＣｘと２次巻線ｎ２の接続点に接続される。そして、ダイオードＤ２のカソード−アノード間にチョークコイル４を介して２次電池５が接続されている。なお、ダイオードＤ２は環流用のダイオードである。
【００２０】
ここで、トランスＴ１の１次巻線ｎ１の自己インダクタンスをＬ１、２次巻線ｎ２の自己インダクタンスをＬ２、１次巻線ｎ１及び２次巻線ｎ２の相互インダクタンスをＭ、結合係数をｋ、１次側電圧をＥ１、２次側電圧をＥ２とすると、Ｅ２＝Ｅ１×Ｍ／Ｌ１の関係が成立するが、トランスＴ１が密結合であることから結合係数ｋが１とみなせるので、上記式は１次巻線ｎ１の巻数Ｎ１及び２次巻線ｎ２の巻数Ｎ２を用いて、Ｅ２＝Ｅ１×Ｎ２／Ｎ１と表せる。ここで、ｋ＝Ｍ／（Ｌ１×Ｌ２）１／２である。従って、図１に示した本実施形態は、電源部１を簡略化して図３に示すような等価回路で表すことができる。
【００２１】
また、図４に示すようにコア８の中心部８ａに１次巻線ｎ１と２次巻線ｎ２を分割巻きしてトランスＴ１をリーケージトランスとして構成し、意図的に漏れ磁束を作れば、トランスＴ２の２次側換算におけるインダクタンスＬｘ’（＝（１−ｋ２）×Ｌ２、但し０＜ｋ＜１）とコンデンサＣｘとで直列共振回路２を構成することができ、インダクタンスＬｘが不要となって部品点数の削減を図ることができる。このようにトランスＴ１をリーケージトランスとした場合の回路図を図５に示し、その等価回路を図６に示す。なお、実際の漏れインダクタンスＬｘ’は、１次側を短絡した状態で２次巻線ｎ２の両端間をＬＣＲメータ等で計測して求めることができる。
【００２２】
ここで、２次電池５の直列接続本数を種々変更することで電池電圧Ｅｄを大きく変化させた場合に、直列共振回路２を構成するコンデンサＣｘの容量値に対して２次電池５に供給される充電電流Ｉｄの平均値Ｉａｖを求めた実験結果を図７に示す。図７から明らかなように、２次電池５の電池電圧Ｅｄを１．６５Ｖから１０Ｖまで段階的に変化させた場合であっても図７中の点Ａでは充電電流Ｉｄの平均値Ｉａｖがほぼ一定になっている。ここで、インダクタンスＬｘ’の値が６μＨ、電源部１から出力される高周波交流電圧の周波数ｆが１１０ｋＨｚであり、図７から読み取った点Ａに対応するコンデンサＣｘの容量値が約０．３５μＦであることから、ｆ＝１／｛２π×（Ｌｘ’×Ｃｘ）１／２｝の関係が成立する。すなわち、直列共振回路の共振周波数と電源部１から出力される高周波交流電圧の周波数ｆを略一致させれば、負荷である２次電池５の電池電圧Ｅｄが変化しても常に略一定の充電電流Ｉｄを供給することができる。逆に言うと、上記式を変形してＣｘ＝１／｛Ｌｘ’×（２πｆ）２｝から求まる容量値（今の場合は０．３４８μＦ）に設定すればよい。いずれにしても、上記式を満足するようにインダクタンスＬｘ’及びコンデンサＣｘの値と周波数ｆを設定すれば、充電電流Ｉｄの定電流化が可能となる。ここで、図８には図６の等価回路における各部の電圧及び電流波形を示しており、２次電池５に対して矩形波の充電電流Ｉｄが流れてその平均値Ｉａｖが略一定となっている。
【００２３】
上述のように、電源部１から出力される高周波交流電圧の周波数ｆを直列共振回路２の共振周波数に略一致させることによって、部品点数の追加を最小限に抑えながら、負荷（２次電池５）の電圧が変化しても常に略一定の電流を負荷に供給することが可能な給電装置が実現できる。
【００２４】
なお、負荷は２次電池５に限定されるものではなく、例えば図９及び図１０の等価回路に示すように抵抗ＲＬと平滑コンデンサＣ０の並列回路で構成されるものであっても良い。但し、チョークコイル４を有して負荷に供給される電流が平滑化される場合には、必ずしも平滑コンデンサＣ０を必要とせず、抵抗ＲＬのみの負荷であっても良い。従って、本実施形態の給電装置を不特定本数の２次電池を充電するための汎用充電器に用いたり、専用充電での充電に伴う電池電圧が上昇しても充電電流を略一定に保つことができる。さらに、負荷が２次電池以外、例えば蛍光灯負荷であっても負荷に供給する電流を定電流化することが可能である。
【００２５】
また、電源部１の出力電圧は矩形波に限定されるものではなく、台形波や正弦波あるいは三角波であっても同様の効果を奏する。特に図１１及び図１２に示すように、トランスＴ１の１次巻線ｎ１にコンデンサＣ１を並列に接続するか、あるいはスイッチ要素Ｓａ，Ｓｂとして寄生容量を有する半導体スイッチング素子を用いれば、トランスＴ１の漏れインダクタンスとの間で部分共振が生じてトランスＴ１の１次側及び２次側の電圧が台形波となる。さらに、図１３及び図１４に示すように直列共振回路２の出力端にダイオードＤ１を介して２次電池５を接続して半端整流するような回路構成としても良い。
【００２６】
ところで、電源部１にトランスＴ１を用いているのは、電源部１の出力電圧を昇降圧したり、電源部１と負荷を絶縁したり、あるいは後述するように非接触給電を行うためであり、電源部１の回路構成に関わらず図３に示した等価回路で表される全ての形態において、本発明の技術思想を適用して広範囲の負荷電圧の変動に対して負荷への供給電流を定電硫化することができる。
【００２７】
（実施形態２）
本実施形態は、図１５に示すように電源部１で発生させた高周波交流電圧を一次コイル９に加えることで発生させた磁界内に二次コイル１０を位置させて、二次コイル１０に電磁誘導によって電力を伝達するものであり、実施形態１におけるトランスＴ１の代わりに一次コイル９と二次コイル１０を備えた出力トランスＴ２が用いられている点以外は実施形態１と共通の構成を有している。従って、共通する構成については同一の符号を付して説明を省略する。
【００２８】
出力トランスＴ２は、図１６に示すようにコア９ａに１次巻線ｎ１が巻回されて成る一次コイル９と、同じくコア１０ａに２次巻線ｎ２が巻回されて成る二次コイル１０とを備え、一次コイル９と二次コイル１０とが所定のギャップｇをおいて対向配置される構造（図示せず）を有している。而して、一次コイル９と二次コイル１０が対向配置されて磁気結合している状態では実施形態１と全く共通の回路構成となり、出力トランスＴ２の漏れインダクタンスを直列共振回路２のインダクタンスＬｘとして用いることができるから、その等価回路は図６と共通になる。
【００２９】
このように本発明を従来周知の非接触式給電装置に適用した場合においても、負荷の電圧変動に対して定電流化が可能となる。
【００３０】
（実施形態３）
本実施形態は、図１７及び図１８に示すように実施形態２における出力トランスＴ２の二次コイル１０にセンタタップ１０ｂを設けるとともに、２次電池５の負極をセンタタップ１０ｂに接続した点に特徴があり、それ以外の構成及び動作は実施形態２と共通する。よって、共通する構成及び動作については同一の符号を付して説明を省略する。
【００３１】
すなわち、本実施形態では出力トランスＴ２にセンタタップ１０ｂを設けることで全波整流を行うようにしており、図１９に示すような等価回路で表すことができる。ここで、図１９におけるインダクタンスＬｘ”は、Ｌｘ”＝（１−ｋ２）×Ｌ２／２で表され、実施形態１における直列共振回路２のインダクタンスＬｘに対してＬｘ＝２×Ｌｘ”の関係式が成立する。また、電源部１は２つの電源１ａ，１ｂで表され、各電源１ａ，１ｂの電源電圧Ｅ３と出力トランスＴ２の１次側電圧Ｅ１並びに実施形態１における２次側電圧Ｅ２との間には、Ｅ３＝Ｍ×Ｅ１／（２×Ｌ１）とＥ２＝２×Ｅ３の各関係式が成立する。なお、図２０及び図２１に示すように電流平滑用のチョークコイル４を省略しても良い。
【００３２】
なお、出力トランスＴ２の漏れインダクタンスを直列共振回路２のインダクタンスに兼用しない場合には、上記インダクタンスＬｘ”と同じ値を有するインダクタンスを２次側に各々直列に接続すればよい。
【００３３】
（実施形態４）
本実施形態は、図２２に示すように高周波出力電圧の波形が正弦波となる電源部１’と、インダクタンスＬｘ及びコンデンサＣｘの直列共振回路２と、ダイオードＤ１から成る半端整流型の整流部３’と、負荷である２次電池５とを備えている。なお、正弦波の高周波交流電圧を出力する電源部１’の回路構成については、従来周知の技術を用いて実現可能であるから図示並びに説明を省略する。また、電源部１’にはリーケージトランスから成る出力トランス（図示せず）が用いられており、この出力トランスの漏れインダクタンスを直列共振回路２のインダクタンスＬｘに用いている。
【００３４】
ここで、２次電池５の直列接続本数を種々変更することで電池電圧Ｅｄを大きく変化させた場合に、直列共振回路２を構成するコンデンサＣｘの容量値に対して２次電池５に供給される充電電流Ｉｄの平均値Ｉａｖを求めた実験結果を図２３に示す。図２３から明らかなように、２次電池５の電池電圧Ｅｄを１．３５Ｖから３．９Ｖまで段階的に変化させた場合に、コンデンサＣｘの容量値が第１の値Ｃｘ１から第２の値Ｃｘ２の範囲では充電電流の平均値Ｉａｖ間の差が最も小さくなって略一定とみなせる。ここで、インダクタンスＬｘの値は６２．４μＨ、電源部１’から出力される高周波交流電圧の周波数ｆは６７ｋＨｚとすると、周波数ｆを直列共振回路２の共振周波数に略一致させるためにはコンデンサＣｘの容量値を０．０９μＦ（第２の値Ｃｘ２）に設定すれば、実施形態１と同様に２次電池５の充電電流Ｉｄを略一定とすることが可能である。しかしながら、２次電池５の電池電圧が変動する範囲が決まっている場合（上述の例では１．３５Ｖ〜３．９Ｖ）には、その最大値（３．９Ｖ）において充電電流Ｉｄが最大となる条件、すなわちコンデンサＣｘの容量値を第１の値Ｃｘ１（約０．０５μＦ）に設定して定電流化を図る方が回路効率が向上できる。
【００３５】
而して、図２４はコンデンサＣｘの容量値を第１の値Ｃｘ１に設定したときの各部の波形を示しており、２次電池５の電池電圧の最大値において電源部１’の交流出力Ｅ２の極性反転時期（図２４における時刻ｔａ）が、コンデンサＣｘの両端電圧Ｖｃｘが極値（極小値）となる時期に略一致することになる。逆に言うと、２次電池５の電池電圧の最大値において電源部１’の交流出力Ｅ２の極性反転時期がコンデンサＣｘの両端電圧Ｖｃｘが極値（極小値）となる時期に略一致するようなコンデンサＣｘの値が第１の値Ｃｘ１となるのである。従って、整流部３’が半波整流型である場合には、少なくとも直列共振回路２のコンデンサＣｘの容量値を第１の値Ｃｘ１から第２の値Ｃｘ２の範囲内に設定することによって、負荷の電圧変動に対して負荷に供給される電流を略一定とすることが可能となる。
【００３６】
【発明の効果】
請求項１の発明は、高周波交流電圧を発生するとともにリーケージトランスから成る出力トランスを介して高周波交流電圧を出力する電源部と、出力トランスの２次側に並列接続されるコンデンサと出力トランスの漏れインダクタンスからなる直列共振回路と、この直列共振回路に生じる共振電圧を整流する整流部とを備え、整流部の出力側に接続される負荷に給電する給電装置であって、電源部で発生する高周波交流電圧の周波数をｆ［Ｈｚ］、直列共振回路の等価インダクタンスをＬ［Ｈ］、直列共振回路のコンデンサの容量値をＣ［Ｆ］としたときにｆ＝１／｛２π×（Ｌ×Ｃ）1/2｝の関係が成立するように等価インダクタンスＬおよびコンデンサの容量値Ｃが設定されたので、簡単な回路構成により電圧が変動する負荷や、電圧の異なる複数種の負荷に対して常に略一定の電流を負荷に供給することができるという効果がある。
【００３７】
請求項２の発明は、請求項１の発明において、負荷を２次電池としたので、充電電流を定電流化することができ、本発明の給電装置を２次電池の充電装置に用いることができるという効果がある。
【００３８】
請求項３の発明は、請求項１又は２の発明において、整流部と負荷の間に電流平滑用のチョークコイルを接続したので、請求項１又は２の発明と同様の効果を奏する。
【００３９】
請求項４の発明は、請求項１又は２又は３の発明において、整流部が半波整流回路からなるので、請求項１又は２又は３の発明と同様の効果を奏する。
【００４０】
請求項５の発明は、請求項１又は２又は３の発明において、整流部はセンタタップ付のトランスを具備するので、請求項１又は２又は３の発明と同様の効果を奏する。
【００４３】
請求項６の発明は、請求項１の発明において、出力トランスが、電源部に設けられる１次巻線と、負荷側に設けられる２次巻線とが分離自在に磁気結合されて成るので、請求項１の発明と同様の効果を奏する。
【００４４】
請求項７の発明は、請求項１の発明において、負荷を２次電池とし整流部を半波整流回路とするとともに、２次電池の電池電圧の最大値において電源部の交流出力の極性反転時期がコンデンサの両端電圧が極値となる時期に略一致するような第１の値と、電源部で発生する高周波交流電圧の周波数と直列共振回路の共振周波数が略一致するような第２の値との間にコンデンサの容量値を設定して成るので、請求項１の発明の効果に加えて、２次電池の電池電圧が最大値となるときの充電電流で定電流化することにより回路効率の向上が図れるという効果がある。
【００４５】
請求項８の発明は、請求項７の発明において、負荷と並列に平滑コンデンサを接続したので、請求項７の発明と同様の効果を奏する。
【図面の簡単な説明】
【図１】実施形態１を示す概略回路構成図である。
【図２】同上におけるトランスの断面図である。
【図３】同上の等価回路図である。
【図４】同上における他の構成のトランスを示す断面図である。
【図５】同上の他の形態を示す概略回路構成図である。
【図６】同上の等価回路図である。
【図７】同上の説明図である。
【図８】同上の動作説明図である。
【図９】同上のさらに他の形態を示す概略回路構成図である。
【図１０】同上の等価回路図である。
【図１１】同上のさらにまた他の形態を示す概略回路構成図である。
【図１２】同上の等価回路図である。
【図１３】同上の別の形態を示す概略回路構成図である。
【図１４】同上の等価回路図である。
【図１５】実施形態２を示す概略回路構成図である。
【図１６】同上の等価回路図である。
【図１７】実施形態３を示す概略回路構成図である。
【図１８】同上における出力トランスの断面図である。
【図１９】同上の等価回路図である。
【図２０】同上の他の形態を示す概略回路構成図である。
【図２１】同上の等価回路図である。
【図２２】実施形態４を示す概略回路構成図である。
【図２３】同上の説明図である。
【図２４】同上の動作説明図である。
【図２５】従来例を示す概略回路構成図である。
【図２６】他の従来例を示す概略回路構成図である。
【符号の説明】
１  電源部
２  直列共振回路
３  整流部
５  ２次電池
Ｌｘ  インダクタンス
Ｃｘ  コンデンサ
【図１】
0003610842.tif 000002
【図２】
0003610842.tif 000003
【図３】
0003610842.tif 000004
【図４】
0003610842.tif 000005
【図５】
0003610842.tif 000006
【図６】
0003610842.tif 000007
【図７】
0003610842.tif 000008
【図８】
0003610842.tif 000009
【図９】
0003610842.tif 000010
【図１０】
0003610842.tif 000011
【図１１】
0003610842.tif 000012
【図１２】
0003610842.tif 000013
【図１３】
0003610842.tif 000014
【図１４】
0003610842.tif 000015
【図１５】
0003610842.tif 000016
【図１６】
0003610842.tif 000017
【図１７】
0003610842.tif 000018
【図１８】
0003610842.tif 000019
【図１９】
0003610842.tif 000020
【図２０】
0003610842.tif 000021
【図２１】
0003610842.tif 000022
【図２２】
0003610842.tif 000023
【図２３】
0003610842.tif 000024
【図２４】
0003610842.tif 000025
【図２５】
0003610842.tif 000026
【図２６】
0003610842.tif 000027